(57)【要約】【課題】お湯あるいは電熱等の外部からの熱源を用いることなく、自己体温で足の保温ができるよう、保温具本体をゴム等の風船体で形成する。風船体に足挿入部を設け、該足挿入部に足を挿入することにより、足からの自己体温で風船体を暖ため、その温もりが風船体を介して足に伝わって保温効果を得ることができる、自己体温利用の足保温具を提供する。【解決手段】靴型又はスリッパ形状の風船体の足保温具１、該風船体の足保温具１の一端に吸入口２を設けてある。３は吸入口２の止め栓である。ブーツ型の風船体の足保温具４、該風船体の足保温具４の一端に吸入口５を設けてある。６は吸入口５の止め栓である。両足挿入可能な凹面を呈した風船体の足保温具７、該風船体の足保温具７の一端に吸入口８を設けてある。９は吸入口８の止め栓である。【選択図】図１
2014105419.tif 000002
【特許請求の範囲】
【請求項１】
ゴム又は樹脂で成形した風船体に、足挿入部を設けて足保温具の本体とした足保温具。
【請求項２】
靴型又はスリッパ形状の風船体の足保温具１、該風船体の足保温具１の一端に吸入口２を設けた足保温具。
【請求項３】
ブーツ型の風船体の足保温具４、該風船体の足保温具４の一端に吸入口５を設けた足保温具。
【請求項４】
両足挿入可能な凹面を呈した風船体の足保温具７、該風船体の足保温具７の一端に吸入口８を設けた足保温具。
【発明の詳細な説明】
【技術分野】
【０００１】この発明は空気等気体入りの風船体を用いた、風船体（風船状）の足保温具に関するものである。
【背景技術】
【０００２】従来、この種足の保温を目的とした足保温具には、例えば特許文献１、特許文献２、特許文献３、又は特許文献４等が提案されている。これら一例の文献をつぎに示す。【０００３】文献（１）は特許公開２００４−１１３７２４号の「足湯ブーツ」である。その要旨は、ブーツの中にお湯を入れて足先を温めるようにした、お風呂等で使用するブーツ型の足保温器で、お湯を用いた保温器である。【０００４】文献（２）は特許公開２００５−５４３１２号の「足保温具」である。その要旨は、保温性を有する柔軟な布製素材をフラットシート状にして、下腿部用又は足首部用等とし、各々巻き付けサイズに応じて止着位置を調整自在とした布製の足保温具である。【０００５】文献（３）は特許公開２００１−２９９８００号の「足温器」である。その要旨は、コードレスタイプとして加熱及び保温に蓄熱材を使用したもので、その熱源には電気を使用する。【０００６】文献（４）は特許公開２００３−１８０７２４号の「足湯器」である。その要旨は湯槽２内の湯Ｈを加熱、保温するためのヒーター３及び温度調整装置４を設置してありその熱源には電気を使用する。
【先行技術文献】
【特許文献】
【０００７】
【特許文献１】特開２００４−１１３７２４号公報
【特許文献２】特開２００５−５４３１２号公報
【特許文献３】特開２００１−２９９８００号公報
【特許文献４】特開２００３−１８０７２４号公報
【発明の概要】
【発明が解決しようとする課題】
【０００８】従来、足保温具は、主にはお湯あるいは電熱等の外部からの熱媒体を使用していた。
本発明は、お湯、電熱等外部からの熱媒体を使用せずに、空気等気体を封入したゴム又は樹脂製の風船体を保温具本体としたもので、風船体を介して自己体温による保温効果を得る足保温具を提供する。
【課題を解決するための手段】
【０００９】靴型又はスリッパ形状の風船体の足保温具１、該風船体の足保温具１の一端に空気吸入口２を設けてある。３は空気吸入口２の止め栓である。
風船体の足保温具１の図例は左右一対のうちの一方を示す。【００１０】ブーツ型の風船体の足保温具４、該風船体の足保温具４の一端に空気吸入口５を設けてある。６は空気吸入口５の止め栓である。【００１１】７は両足挿入可能な凹面を呈した風船体の足保温具で、該風船体の足保温具７の一端に空気吸入口８を設けてある。
９は空気吸入口８の止め栓である。【００１２】本発明の風船体の足保温具において、空気吸入口２、空気吸入口５、又は空気吸入口８から各々空気等気体を吹き入れてふくまらせて風船体状とし、その上に足を乗せて又は足を挿入して使用する。風船体はゴム又は樹脂材で成形してある。
本発明は、以上の如く、一対として使用する靴型又はスリッパ形状の風船体の足保温具１、及びブーツ型の風船体の足保温具４、又は両足用の風船体の足保温具７に、各々空気等気体を封入し風船体（風船状）として足保温具の本体としたことを特徴とする。
【発明の効果】
【００１３】靴型又はスリッパ形状の風船体の足保温具１、ブーツ型の風船体の足保温具４、又は両足挿入可能な凹面を呈した風船体の足保温具７、これらの使用においては、風船体の足保温具の上に足を乗せて接し又は足を挿入して接することにより、足からの自己体温が風船体に伝わり、その暖かみが風船体を介して足に感じられるような保温方法としたから、人肌感覚の熱からず、冷たからずのやさしい温もり感のある保温効果を得ることができるものである。【００１４】ブーツ型の風船体の足保温具７を、就寝時に装着して使用することにより、冷え性の人の足の保温、冷え性対策等に効果がある。【００１５】風船体の製作はゴム又は樹脂材料で成形できるため、安価に製作することができる。
足保温具本体の製品が風船体であるから、空気を抜いてどこえでも持ち運び、再びふくらませ設置してどこでも使用することができる。【００１６】外部からの熱源（熱媒体）を使用しないため、高温、低温等の温度コントロールはできないが、電気代等の費用はかからない。またヒーターでの火傷等のリスクもない。
熱媒体を使わないため家庭で子供が勉強する際等安全に子供の足にやさしい温もり感のある保温効果を与えることができる。
【図面の簡単な説明】
【００１７】
【図１】本発明の靴型又はスリッパ形状の足保温具の斜視図である。
【図２】本発明のブーツ型の足保温具の斜視図である。
【図３】本発明の両足用の足保温具の斜視図である。
【発明を実施するための形態】
【００１８】以下、本発明を実施するための形態について説明する。
【００１９】靴型又はスリッパ形状の風船体の足保温具１、該風船体の足保温具１の一端に空気吸入口２を設けてある。３は空気吸入口２用の止め栓である。
【００２０】ブーツ型の風船体の足保温具４、該風船体の足保温具４の一端に空気吸入口５を設けてある。６は空気吸入口５の止め栓である。
【００２１】両足用の風船体の足保温具７、その上面には両足挿入可能な凹面を呈している。風船体の足保温具７の一端に空気吸入口８を設けてある。９は空気吸入口８の止め栓である。
【００２２】空気吸入口２、空気吸入口５、又は空気吸入口８の各々の吸入口からそれぞれに空気等気体を吹き入れて風船体（風船状）にふくらませて使用する。
【００２３】靴型又はスリッパ形状の風船体の足保温具１、ブーツ型の風船体の足保温具４、又は両足用の風船体の足保温具７のそれぞれに足を挿入したとき、足からの体温が風船体に伝わって風船体があたたまり、風船体を介してその温もりが足裏に感じて、足からの自己体温によるやさしい感覚の保温効果を得ることができる。
【００２４】本発明は風船体利用であるから、風船体の形状を子供向けに動物形に、あるいは乗り物形等に異形状とし、その一端に足挿入部を設ける等、さまざまな形状の足保温具ととして変化応用することができる。
【００２５】本発明の風船体の足保温具の各々の内面（足との接触面）にやわらかい布製シート等を敷くことにより更に保温効果を高めることができる。
【００２６】風船体の材質は、ゴム又は樹脂等の強度のある軟質材が適している。
【００２７】風船体に封入する気体は一般的には空気がよいが、蒸気、又はヘリュームガス等で応用することができる。
【符号の説明】
【００２８】１  風船体の足保温具
２  吸入口
３  止め栓
４  風船体の足保温具
５  吸入口
６  止め栓
７  風船体の足保温具
８  吸入口
９  止め栓
【図１】
2014105419.tif 000003
【図２】
2014105419.tif 000004
【図３】
2014105419.tif 000005